(57)【要約】【課題】簡単な構造で、筒体を高精度の四角形に容易に連結することができるとともに、高強度にすることができる枠体、及びこれを備える光源装置を提供する。【解決手段】離隔して平行的に配される二つの第１の角筒体２，２、及び第１の角筒体２，２の両端に連結される二つの第２の角筒体３，３とにより四角形に形成される枠体１の角部夫々を、隣合う第１及び第２の角筒体２，３の一方が、周面に嵌入孔４を有し、他方が、該他方の端面から長手方向外方へ延出され、嵌入孔４に嵌入される嵌入軸７を有する構成とし、嵌入孔４を有する第１の角筒体２の外部から嵌入軸７の中心部に雄螺子を捩じ込むことにより嵌入軸７が嵌入孔４から抜出るのを阻止し、第１及び第２の角筒体２，３を連結した。【選択図】図５
2008293921.tif 000002
【特許請求の範囲】
【請求項１】
四角形をなす枠体において、四辺の夫々は筒体であり、四辺の角部夫々は、隣合う二つの筒体の一方が、他方の筒体の端末と対向している周面に嵌入孔を有し、他方が、端末よりも外方へ延出され、前記嵌入孔に嵌入されている嵌入軸を有し、該嵌入軸が前記嵌入孔から抜出るのを阻止する抜止手段を備えることを特徴とする枠体。
【請求項２】
前記抜止手段は、前記一方で前記嵌入軸の端面と対向する箇所に開設されている挿通孔と、該挿通孔から前記嵌入軸の中心部に捩込まれている雄螺子とを有する請求項１記載の枠体。
【請求項３】
前記抜止手段は、前記一方で前記嵌入軸の端面と対向する箇所に開設されている挿通孔と、前記嵌入軸の端面に連なり、前記挿通孔に挿通されている凸部とを有し、該凸部の先端がカシメられている請求項１記載の枠体。
【請求項４】
前記嵌入軸は端面が一方の筒体の内面に当接している請求項１から３のいずれか一つに記載の枠体。
【請求項５】
前記二つの筒体の他方の内部に嵌入固定されている内嵌部材を備え、該内嵌部材に前記嵌入軸を設けてある請求項１から４のいずれか一つに記載の枠体。
【請求項６】
前記二つの筒体の他方は周面に貫通孔を有し、前記内嵌部材は前記嵌入軸が結合されている外板部と、該外板部の端に連なり、前記貫通孔に対応する螺子孔が開設されている内板部とを有し、前記貫通孔から前記螺子孔に雄螺子が捩込まれている請求項５記載の枠体。
【請求項７】
前記嵌入軸は軸長方向と直交する方向の断面形状、又は断面積が異なる複数を並置してあり、前記嵌入孔は前記嵌入軸の夫々に対応する複数を開設してある請求項１から６のいずれか一つに記載の枠体。
【請求項８】
前記二つの筒体の一方又は他方は、前記嵌入軸が嵌入孔に嵌入される際、前記二つの筒体の位置を決めるべき位置決め凸部を有し、前記二つの筒体の他方又は一方は前記位置決め凸部が嵌入される位置決め凹部を有する請求項１から６のいずれか一つに記載の枠体。
【請求項９】
請求項１から８のいずれか一つに記載の枠体、及び該枠体の開放部を閉塞する蓋板を有し、内部に複数のランプが並置されるシャーシを備えることを特徴とする光源装置。
【発明の詳細な説明】
【技術分野】
【０００１】
本発明は液晶表示装置等の表示装置の光源として使用される光源装置等の枠体、及びこの枠体を備える光源装置に関する。
【背景技術】
【０００２】
テレビジョン等の表示装置は、画像を表示する画像表示面を前側に有する表示部の後側に光源装置が配されている。
【０００３】
光源装置は、例えば両端部に電極を有する複数本のランプと、直方体をなす枠体及び該枠体の開放部を閉塞する蓋板を有し、内部に前記ランプが並置されるシャーシとを備える。枠体は鉄板等の一枚の金属板を直方体に成形してなり、また、蓋板はアルミニウム板、鉄板等の一枚の金属板からなり、該蓋板の周縁部が複数の雄螺子により枠体に取付けられている。
【０００４】
光源装置におけるシャーシの枠体として、端部の周面に螺子挿通孔を有し、離隔して平行的に配される二つの角筒体と、略コ字形にダイキャスト成形され、前記二つの角筒体内に嵌入される凸片を両端に設けてある二つの連結部材とを有し、連結部材夫々の凸片が角筒体の両端部内に嵌入され、前記螺子挿通孔に挿通される雄螺子を、前記凸片に開設されている螺子孔に緊締することにより直方体をなす枠体が形成されるように構成されたものが知られている（例えば、特許文献１参照）。
【０００５】
また、直交的に配される二つの角筒体の端部を連結する連結構造は、例えば特許文献２、３に記載されている。特許文献２の連結構造は、Ｌ字形をなす板部の両側辺から板厚方向に起立する立上片を有する二つの連結板が重合され、この重合連結板を、直交的に配置される二つの角筒体の端部内に嵌入することにより二つの角筒体を連結するように構成されている（例えば、特許文献２参照）。
【０００６】
特許文献３の連結構造は、Ｌ字形をなし、両端部にナットが保持されている連結具の両端部を、直交的に配される二つの角筒体の端部内に嵌入し、角筒体夫々の一側を貫通する挿通孔から前記ナットにボルトを緊締することにより、二つの角筒体を連結具が連結するように構成されている（例えば、特許文献３参照）。
【特許文献１】特開２００６−２０１３１８号公報
【特許文献２】特開平１１−３１１２２１号公報
【特許文献３】特開２００６−７７７９５号公報
【発明の開示】
【発明が解決しようとする課題】
【０００７】
ところで、一枚の金属板を成形してなる枠体は、簡易に成形することができる。しかし、近年の表示装置は益々大型化されており、表示装置に用いられる光源装置も益々大型化されているため、金属板を成形してなる枠体にあっては、全体的に捩じれて変形し易い。従って、比較的大形の光源装置にあっては、シャーシを把持して運搬する際の作業性、及びシャーシを組込む際の作業性が悪く、改善策が要望されていた。
【０００８】
また、特許文献１のように一対の角筒体と、略コ字形に成形された一対の連結部材とにより枠体が構成されるものにあっては、複雑な形状の連結部材が必要であり、しかも、比較的大形の光源装置にあっては、連結部材の成形用型も大形となり、連結部材の形状が複雑であることと相俟ってコスト高となり、改善策が要望されていた。
【０００９】
また、特許文献２のようにＬ字形をなす重合連結板を、直交的に配置される角筒体の端部内に嵌入することにより二つの角筒体を連結する連結構造を光源装置に採用した場合、複雑な形状の連結部材が必要であり、しかも、この複雑な形状の連結部材が角筒体内に挿通されて二つの角筒体が連結されるため、高精度の四角形にするのが難しく、また、高強度にすることができない。
【００１０】
また、特許文献３のようにＬ字形をなし、両端部にナットが保持されている連結具を、直交的に配される角筒体内に挿入し、ボルトを前記ナットに緊締することにより、二つの角筒体を連結具が連結する連結構造を光源装置に採用した場合、二つの角筒体同士が直接接触しないため、高精度の四角形にするのが難しく、また、高強度にすることができない。
【００１１】
本発明は斯かる事情に鑑みてなされたものであり、主たる目的は簡単な構造で、筒体を高精度の四角形に容易に連結することができ、しかも、高強度にすることができる枠体、及びこれを備える光源装置を提供することにある。
【課題を解決するための手段】
【００１２】
本発明に係る枠体は、四角形をなす枠体において、四辺の夫々は筒体であり、四辺の角部夫々は、隣合う二つの筒体の一方が、他方の筒体の端末と対向している周面に嵌入孔を有し、他方が、端末よりも外方へ延出され、前記嵌入孔に嵌入されている嵌入軸を有し、該嵌入軸が前記嵌入孔から抜出るのを阻止する抜止手段を備えることを特徴とする。
【００１３】
この発明にあっては、他方の筒体の嵌入軸が一方の筒体の嵌入孔に嵌入されることにより、二つの筒体を直交的に連結することができるため、比較的大形の枠体を簡易に高精度の四角形にすることができる。しかも、二つの筒体の連結状態を抜止手段により維持するため、比較的大形の枠体を高強度にすることができる。
【００１４】
また、本発明に係る枠体は、前記抜止手段は、前記一方で前記嵌入軸の端面と対向する箇所に開設されている挿通孔と、該挿通孔から前記嵌入軸の中心部に捩込まれている雄螺子とを有するのが好ましい。
この発明にあっては、筒体の一方に開設されている挿通孔に雄螺子を挿通して捩込むことにより、筒体の連結状態を維持することができる。
【００１５】
また、本発明に係る枠体は、前記抜止手段は、前記一方で前記嵌入軸の端面と対向する箇所に開設されている挿通孔と、前記嵌入軸の端面に連なり、前記挿通孔に挿通されている凸部とを有し、該凸部の先端がカシメられているのが好ましい。
この発明にあっては、筒体の一方に開設されている挿通孔に、嵌入軸の端面に連なる凸部を挿通し、該凸部の先端をカシメることにより筒体の連結状態を維持することができる。
【００１６】
また、本発明に係る枠体は、前記嵌入軸は端面が一方の筒体の内面に当接しているのが好ましい。
この発明にあっては、嵌入孔を有する一方の筒体の他方の筒体に対する安定性を高めることができ、枠体の強度をより一層高めることができる。
【００１７】
また、本発明に係る枠体は、前記二つの筒体の他方の内部に嵌入固定されている内嵌部材を備え、該内嵌部材に前記嵌入軸を設けてあるのが好ましい。
この発明にあっては、筒体内に嵌入固定された内嵌部材により嵌入軸部の剛性を簡易に高めることができる。
【００１８】
また、本発明に係る枠体は、前記二つの筒体の他方は周面に貫通孔を有し、前記内嵌部材は前記嵌入軸が結合されている外板部と、該外板部の端に連なり、前記貫通孔に対応する螺子孔が開設されている内板部とを有し、前記貫通孔から前記螺子孔に雄螺子が捩込まれているのが好ましい。
この発明にあっては、内嵌部材の内板部を筒体内に嵌入し、筒体の外部で雄螺子を捩じ込むことにより内嵌部材を筒体内に固定することができるため、高強度の嵌入軸を筒体に簡易に設けることができる。
【００１９】
また、本発明に係る枠体は、前記嵌入軸は軸長方向と直交する方向の断面形状、又は断面積が異なる複数を並置してあり、前記嵌入孔は前記嵌入軸の夫々に対応する複数を開設してあるのが好ましい。
この発明にあっては、断面形状又は断面積が異なる複数の嵌入軸と、嵌入軸の夫々に対応する複数の嵌入孔とを備えるため、二つの筒体の位置を間違えることなく、二つの筒体を適正位置に配置することができ、組立作業性を高めることができる。
【００２０】
また、本発明に係る枠体は、前記二つの筒体の一方又は他方は、前記嵌入軸が嵌入孔に嵌入される際、前記二つの筒体の位置を決めるべき位置決め凸部を有し、前記二つの筒体の他方又は一方は前記位置決め凸部が嵌入される位置決め凹部を有するのが好ましい。
この発明にあっては、嵌入軸が嵌入孔に嵌入される際、位置決め凸部が位置決め凹部に嵌入されるため、二つの筒体の位置を間違えることなく、二つの筒体を適正位置に配置することができ、組立作業性を高めることができる。
【００２１】
また、本発明に係る光源装置は、前述の発明の枠体、及び該枠体の開放部を閉塞する蓋板を有し、内部に複数のランプが並置されるシャーシを備えることを特徴とする。
この発明にあっては、光源装置が比較的大形となる場合においても、比較的大形の枠体を高精度の四角形にすることができ、しかも、二つの筒体の連結状態を抜止手段により維持することができるため、比較的大形の枠体を高強度にすることができる。
【発明の効果】
【００２２】
本発明によれば、他方の筒体の嵌入軸が一方の筒体の嵌入孔に嵌入されることにより、二つの筒体を直交的に連結することができ、比較的大形の枠体を簡易に高精度の四角形にすることができる。しかも、二つの筒体の連結状態を抜止手段により維持することができ、比較的大形の枠体を高強度にすることができる。
【００２３】
また、本発明によれば、光源装置が比較的大形となる場合においても、比較的大形の枠体を高精度の四角形にすることができ、しかも、比較的大形の枠体を高強度にすることができる。
【発明を実施するための最良の形態】
【００２４】
以下本発明をその実施の形態を示す図面に基づいて詳述する。
実施の形態１
図１は本発明に係る光源装置を備える薄型表示装置の構成を示す正面図、図２は光源装置を備える薄型表示装置の構成を示す側面図、図３は光源装置が備える枠体の構成を示す斜視図、図４は枠体の構成を示す要部の分解斜視図、図５は枠体の構成を示す要部の拡大断面図、図６は枠体の構成を示す要部の斜視図である。
【００２５】
図示した光源装置Ａは、前側に表示面を有する表示装置Ｂの後側に配置されるもので、四角形の枠体１及び該枠体１の後側端を閉塞する蓋板１０１を有し、前側が開放されている箱形をなすシャーシ１００と、該シャーシ１００内に上下に離隔して並置される杆状の複数本のランプ１０２と、該ランプ１０２の両端部を枠体１の内側に保持するホルダと、前記ランプの中間部を蓋板１０１に保持する複数のクリップと、シャーシ１００内に配置され、ランプ１０２の放射光をシャーシ１００の開放部側に反射させるべき反射板とを備え、蓋板１０１の外面にインバータ回路基板等の電気部品が取付けられる。
【００２６】
枠体１は断面四角形をなし、離隔して平行的に対向する二つの第１の角筒体２，２と、断面四角形をなし、第１の角筒体２，２の両端に連結される二つの第２の角筒体３，３とを備え、該枠体１の後側端に前記蓋板の周縁部が複数本の雄螺子により取付けられる。
【００２７】
第１の角筒体２，２の一端部は、長辺の一側面２ａを貫通し、周方向に離隔して並設された二つの嵌入孔４，４と、長辺の他側面２ｂを嵌入孔４，４と向き合う位置で貫通し、嵌入孔４，４よりも小径の二つの挿通孔５，５とを設けてある。
【００２８】
第２の角筒体３，３の一端部は、該角筒体３，３の内部に嵌入固定されている内嵌部材６と、該内嵌部材６に固定され、嵌入孔４，４の夫々に嵌入される二つの嵌入軸７，７と、長辺の一側面３ａを貫通し、周方向に離隔して並設されている二つの貫通孔８，８とを設けてある。
【００２９】
内嵌部材６は、第２の角筒体３，３の端末を閉塞する矩形をなし、該角筒体３，３の長手方向に貫通する二つの挿通孔６１，６１を有する外板部６ａと、該外板部６ａの長辺に連なる二つの内板部６ｂ，６ｃとを有し、一方の内板部６ｂの貫通孔８，８に対応する箇所に二つの螺子孔６２，６２が開設されており、貫通孔８，８に挿入される頭付きの二つの雄螺子９，９が螺子孔６２，６２に捩込まれることにより第２の角筒体３，３内に固定されている。
【００３０】
嵌入軸７，７は中心部に螺子孔７１を有し、嵌入孔４，４の内径よりも僅かに小径の円柱体からなり、先側の端面が第１の角筒体２，２の内面（長辺の他側面２ｂ）に当接する長さに形成されている。この嵌入軸７，７は外板部６ａの内側から挿通孔６１，６１に挿通される頭付きの雄螺子１０，１０が螺子孔７１，７１に捩込まれることにより外板部６ａの外面に固定されており、第１の角筒体２，２の挿通孔５，５に挿通される頭付きの雄螺子１１，１１が螺子孔７１，７１に捩込まれることにより嵌入軸７，７が嵌入孔４，４から抜出るのを阻止してある。
【００３１】
以上のように一端部の周面に嵌入孔４，４及び挿通孔５，５が開設されている第１の角筒体２，２の他端部には、嵌入軸７，７が固定された内嵌部材６を雄螺子９，９により固定してある。また、一端部に嵌入軸７，７が固定された内嵌部材６を雄螺子９，９により固定してある第２の角筒体３，３の他端部周面には嵌入孔４，４及び挿通孔５，５が開設されている。
【００３２】
以上のように構成された光源装置の枠体１は、離隔して対向する二つの第１の角筒体２，２と、第１の角筒体２，２の両端に連結される二つの第２の角筒体３，３とにより四辺が構成され、四辺の角部夫々は、嵌入孔４，４及び該嵌入孔４，４に嵌入された嵌入軸７，７により連結され、嵌入軸７，７の抜出しを雄螺子１１，１１が阻止している。嵌入軸７，７は内嵌部材６に固定され、内嵌部材６は第２の角筒体３，３の一端部、及び第１の角筒体２，２の他端部に内嵌固定されている。
【００３３】
この枠体１を組立てる場合、第１の角筒体２，２及び第２の角筒体３，３の一端部同士が直交的に接触し、第１の角筒体２，２及び第２の角筒体３，３の他端部同士が直交的に接触するように第１及び第２の角筒体２，２、３，３が配置され、角部の夫々において、嵌入軸７，７を嵌入孔４，４に嵌入することにより、四角形の精度を高精度にすることができ、また、挿通孔５，５から嵌入軸７，７の螺子孔７１，７１に雄螺子１１，１１を捩込むことにより第１及び第２の角筒体２，２、３，３を強固に連結することができ、捻じれ剛性に優れた枠体１にすることができる。この際、嵌入軸７，７の端面が第１の角筒体２，２の内面に当接するため、嵌入孔４，４を有する第１の角筒体２，２の第２の角筒体３，３に対する安定性を高めることができる。従って、前記シャーシを把持して運搬する際の作業性、及び該シャーシを組込む際の作業性を向上できる。しかも、嵌入軸７，７を嵌入孔４，４に嵌入して雄螺子１１，１１を捩込むことにより組立てることができるため、枠体１の組立作業時間を短縮することができる。
【００３４】
実施の形態２
図７は光源装置が備える枠体１の他の構成を示す要部の分解斜視図である。この枠体１は、実施の形態１のように二つの嵌入孔４，４及び嵌入軸７，７を等しい大きさとする代わりに、第２の角筒体３，３の一端部及び第１の角筒体２，２の他端部に設ける二つの嵌入軸７，７の軸長方向と直交する方向の断面積を異ならせ、換言すると円柱形をなす大径の嵌入軸７ａと、円柱形をなす小径の嵌入軸７ｂとを並置し、第１の角筒体２，２の一端部及び第２の角筒体３，３の他端部に設ける嵌入孔４，４の大きさを嵌入軸７ａ，７ｂの大きさに対応して異ならせ、換言すると大径の嵌入孔４ａと小径の嵌入孔４ｂとを開設したものである。
【００３５】
この枠体１にあっては、四辺の角部夫々を連結する際、大径の嵌入軸７ａは大径の嵌入孔４ａに、小径の嵌入軸７ｂは小径の嵌入孔４ｂにだけ嵌入することができるため、第１及び第２の角筒体２，２、３，３の位置を方向付けすることができ、第１及び第２の角筒体２，２、３，３を間違いなく適正位置に配置することができ、枠体１の組立作業性を向上できる。
その他の構成及び作用は実施の形態１と同様であるため、同様の部品については同じ符号を付し、その詳細な説明及び作用効果の説明を省略する。
【００３６】
実施の形態３
図８は光源装置が備える枠体１の他の構成を示す要部の分解斜視図である。この枠体１は、実施の形態１のように二つの嵌入孔４，４及び嵌入軸７，７を等しい形状とする代わりに、第２の角筒体３，３の一端部及び第１の角筒体２，２の他端部に設ける二つの嵌入軸７，７の軸長方向と直交する方向の断面形状を異ならせ、換言すると円柱形をなす嵌入軸７ｃと、角柱形をなす嵌入軸７ｄとを並置し、第１の角筒体２，２の一端部及び第２の角筒体３，３の他端部に設ける嵌入孔４，４の形状を嵌入軸７ｃ，７ｄの形状に対応して異ならせ、換言すると円形の嵌入孔４ｃと角形の嵌入孔４ｄとを開設したものである。
【００３７】
この枠体１にあっては、四辺の角部夫々を連結する際、円柱形の嵌入軸７ｃは円形の嵌入孔４ｃに、角柱形の嵌入軸７ｄは角形の嵌入孔４ｄにだけ嵌入することができるため、第１及び第２の角筒体２，２、３，３の位置を方向付けすることができ、第１及び第２の角筒体２，２、３，３を間違いなく適正位置に配置することができ、枠体１の組立作業性を向上できる。尚、嵌入軸７及び嵌入孔４の形状は特に制限されない。
その他の構成及び作用は実施の形態１と同様であるため、同様の部品については同じ符号を付し、その詳細な説明及び作用効果の説明を省略する。
【００３８】
実施の形態４
図９は光源装置が備える枠体１の他の構成を示す要部の分解斜視図である。この枠体１は、実施の形態１のように二つの嵌入孔４，４及び嵌入軸７，７を備える上、さらに、内嵌部材６の外板部６ａに、第１及び第２の角筒体２，２、３，３の位置を決めるべき位置決め凸部１２を設け、該位置決め凸部１２が嵌入される位置決め凹部１３を、第１の角筒体２，２の一端部周面及び第２の角筒体３，３の他端部周面に設けたものである。
【００３９】
位置決め凸部１２は嵌入孔４，４と偏倚した位置に突設されており、位置決め凹部１３は嵌入孔４，４と偏倚した位置に開設されている。
【００４０】
この枠体１にあっては、四辺の角部夫々を連結する際、位置決め凸部１２が位置決め凹部１３に嵌入されるときにだけ嵌入軸７，７を嵌入孔４，４に嵌入することができるため、第１及び第２の角筒体２，２、３，３の位置を方向付けすることができ、第１及び第２の角筒体２，２、３，３を間違いなく適正位置に配置することができ、枠体１の組立作業性を向上できる。
その他の構成及び作用は実施の形態１−３と同様であるため、同様の部品については同じ符号を付し、その詳細な説明及び作用効果の説明を省略する。
【００４１】
実施の形態５
図１０は光源装置が備える枠体１の他の構成を示す斜視図である。この枠体１は、離隔して平行的に配置される第１の角筒体２，２の両端部周面に嵌入孔４，４及び挿通孔５，５を開設してあり、第２の角筒体３，３の両端部に嵌入軸７，７が固定された内嵌部材６を雄螺子９，９により固定してある構成としたものである。第１及び第２の角筒体２，２、３，３の端部同士は挿通孔５，５から嵌入軸７，７の螺子孔７１，７１に捩込まれる雄螺子１１，１１により連結されている。
【００４２】
この枠体１にあっては、第１及び第２の角筒体２，２、３，３の両端部の形状が等しいため、加工する際、及び組立てる際に間違い難くすることができ、加工性、組立性を向上できる。
その他の構成及び作用は実施の形態１−４と同様であるため、同様の部品については同じ符号を付し、その詳細な説明及び作用効果の説明を省略する。
【００４３】
実施の形態６
図１１は光源装置が備える枠体１の他の構成を示す分解斜視図、図１２は要部の構成を示す拡大断面図である。この枠体１は、抜止手段として雄螺子１１，１１を用いる代わりに、嵌入軸７，７の先側端面に連なり、その先端がカシメられるべき凸部１４，１４を一体に設け、該凸部１４，１４を挿通孔５，５に挿通し、凸部１４，１４の先端をカシメることにより嵌入軸７，７が嵌入孔４，４から抜出るのを阻止するように構成したものである。凸部１４，１４は嵌入軸７，７より小径の円柱形に形成されている。
【００４４】
この枠体１にあっては、嵌入軸７，７が嵌入孔４，４に嵌入される際、凸部１４，１４を挿通孔５，５に嵌め込むことができ、挿通孔５，５から外部へ突出している凸部１４，１４先端をカシメることにより第１及び第２の角筒体２，２、３，３を連結することができる。この場合、嵌入軸７，７が嵌入孔４，４に嵌入され、凸部１４，１４が挿通孔５，５に嵌め込まれているため、嵌入孔４，４を有する第１の角筒体２，２の第２の角筒体３，３に対する安定性を高めることができる。
その他の構成及び作用は実施の形態１−５と同様であるため、同様の部品については同じ符号を付し、その詳細な説明及び作用効果の説明を省略する。
【００４５】
実施の形態７
図１３は光源装置が備える枠体１の他の構成を示す分解斜視図、図１４は要部の構成を示す拡大断面図である。この枠体１は、抜止手段として雄螺子１１，１１を用いる代わりに、嵌入軸７，７に係止される止め輪１５，１５を用い、嵌入軸７，７が嵌入孔４，４から抜け出るのを止め輪１５，１５が阻止するように構成したものである。
【００４６】
嵌入孔４，４を有する第１の角筒体２，２の内面にその端面が当接する嵌入軸７，７の周面に環状溝７２，７２を設けてあり、第１の角筒体２，２内で嵌入孔４，４の内縁周りに接触する止め輪１５，１５が環状溝７２，７２に嵌め込まれている。
【００４７】
この枠体１にあっては、嵌入軸７，７が嵌入孔４，４に嵌入された後、第１の角筒体２，２の開放端から環状溝７２，７２に止め輪１５，１５を嵌め込むことにより嵌入軸７，７が嵌入孔４，４から抜け出るのを阻止することができる。
【００４８】
尚、抜止手段として止め輪１５，１５を用いる場合、実施の形態５のように嵌入軸７，７の端面に連なり、挿通孔５，５に挿通される凸部１４，１４の周面に環状溝７２，７２を設け、挿通孔５，５の外縁周りに接触する止め輪１５，１５を前記環状溝７２，７２に嵌め込むことにより嵌入軸７，７の抜け出しを阻止するように構成してもよい。
その他の構成及び作用は実施の形態１−６と同様であるため、同様の部品については同じ符号を付し、その詳細な説明及び作用効果の説明を省略する。
【００４９】
実施の形態８
図１５は光源装置が備えるシャーシの他の構成を示す分解斜視図、図１６は光源装置が備えるシャーシ２０の他の構成を示す斜視図である。シャーシ２０は、実施の形態１−７のように第１の角筒体２，２及び第２の角筒体３，３が四角形に連結されている第１の枠分体２１、及び四つの板体２２ａを第１の枠分体２１に対応する大きさの四角形に連結してなる第２の枠分体２２を積層してなる枠体１ａと、箱形をなし、枠体１ａを被覆するカバー体２３とを備え、カバー体２３が枠体１ａに複数本の雄螺子により取付けられている。
【００５０】
第１の枠分体２１の開放側両面には複数の螺子孔が開設されており、第２の枠分体２２には前記螺子孔に対応する複数の貫通孔が開設されており、第１及び第２の枠分体２１，２２が積み重ねられた状態で前記貫通孔に挿通する雄螺子が前記螺子孔に捩込まれることにより第１及び第２の枠分体２１，２２が連結されている。
【００５１】
カバー体２３は、枠体１ａを被覆する枠部２３ａと、該枠部２３ａの一方の開放部を閉塞する蓋板２３ｂと、複数本の補強桟２３ｃとを有し、蓋板２３ｂの周縁部が枠部２３ａに複数本の雄螺子により取付けられ、補強桟２３ｃが枠部２３ａ及び蓋板２３ｂに取付けられている。
その他の構成及び作用は実施の形態１−７と同様であるため、同様の部品については同じ符号を付し、その詳細な説明及び作用効果の説明を省略する。
【００５２】
尚、以上説明した実施の形態では四角形に配される四つの角筒体２，２、３，３を有する構成としたが、その他、四角形に配される四つの円筒体、楕円筒体を有する構成としてもよい。この場合、嵌入軸７，７を有する角筒体の端末は、嵌入孔４，４を有する角筒体の周面に対応して円弧状に湾曲する湾曲面とし、嵌入孔４，４を有する一方の角筒体の他方の角筒体に対する安定性を高めるように構成するのが好ましい。
【００５３】
また、以上説明した実施の形態では第１の角筒体２，２の一側面２ａを貫通する嵌入孔４，４を有する構成としたが、その他、第１の角筒体２，２の両側面（一側面２ａ，他側面２ｂ）を貫通する嵌入孔４，４と、両側面の嵌入孔４，４に嵌入される嵌入軸７，７とを有する構成としてもよい。また、嵌入孔４及び嵌入軸７は夫々２つである他、夫々３つ以上の複数、又は１つであってもよい。また、嵌入孔４は丸形、嵌入軸７は円柱形である他、嵌入孔４を角形とし、嵌入軸７を角柱形としてもよい。
【００５４】
また、以上説明した実施の形態では第２の角筒体３，３内に嵌入固定された内嵌部材６に嵌入軸７，７を設けたが、その他、嵌入軸７，７は第２の角筒体３，３内に圧入することにより固定してもよいし、また、第２の角筒体３，３の開放端に板体を固定し、該板体に嵌入軸７，７を設ける構成としてもよい。また、内嵌部材６を用いる場合、該内嵌部材６は断面コ字形をなす他、断面Ｌ字形をなす構成としてもよく、嵌入軸７，７を角筒体に設ける手段は特に制限されない。また、嵌入軸７は２つ以上の複数である他、１つであってもよい。
【００５５】
また、本発明に係る枠体１は光源装置のシャーシに用いられるものである他、例えば表示パネルの周縁部を保持する枠体に用いることも可能であり、枠体の使用対象は特に制限されない。
【図面の簡単な説明】
【００５６】
【図１】本発明に係る光源装置を備える薄型表示装置の構成を示す正面図である。
【図２】本発明に係る光源装置を備える薄型表示装置の構成を示す側面図である。
【図３】本発明に係る光源装置が備える枠体の構成を示す斜視図である。
【図４】本発明に係る枠体の構成を示す要部の分解斜視図である。
【図５】本発明に係る枠体の構成を示す要部の拡大断面図である。
【図６】本発明に係る枠体の構成を示す要部の斜視図である。
【図７】本発明に係る枠体の他の構成を示す要部の分解斜視図である。
【図８】本発明に係る枠体の他の構成を示す要部の分解斜視図である。
【図９】本発明に係る枠体の他の構成を示す要部の分解斜視図である。
【図１０】本発明に係る枠体の他の構成を示す斜視図である。
【図１１】本発明に係る枠体の他の構成を示す分解斜視図である。
【図１２】本発明に係る枠体の要部の構成を示す拡大断面図である。
【図１３】本発明に係る枠体の他の構成を示す分解斜視図である。
【図１４】本発明に係る枠体の要部の構成を示す拡大断面図である。
【図１５】本発明に係る光源装置が備えるシャーシの他の構成を示す分解斜視図である。
【図１６】本発明に係る光源装置が備えるシャーシの他の構成を示す斜視図である。
【符号の説明】
【００５７】
１，１ａ  枠体
２    第１の角筒体（筒体）
３    第２の角筒体（筒体）
４    嵌入孔
５    挿通孔
６    内嵌部材
６ａ  外板部
６ｂ  内板部
６２  螺子孔
７    嵌入軸
７１  螺子孔
８    貫通孔
９    雄螺子
１１  雄螺子（抜止手段）
１２  位置決め凸部
１３  位置決め凹部
１４  凸部（抜止手段）
１００  シャーシ
１０１  蓋板
１０２  ランプ
【図１】
2008293921.tif 000003
【図２】
2008293921.tif 000004
【図３】
2008293921.tif 000005
【図４】
2008293921.tif 000006
【図５】
2008293921.tif 000007
【図６】
2008293921.tif 000008
【図７】
2008293921.tif 000009
【図８】
2008293921.tif 000010
【図９】
2008293921.tif 000011
【図１０】
2008293921.tif 000012
【図１１】
2008293921.tif 000013
【図１２】
2008293921.tif 000014
【図１３】
2008293921.tif 000015
【図１４】
2008293921.tif 000016
【図１５】
2008293921.tif 000017
【図１６】
2008293921.tif 000018